(57)【要約】【課題】ユーザによるカードの迅速な処理を実現する【解決手段】カードリーダライタ装置１００の非接触型カード処理部１２２は、搬送部１１２の外方に設置される挿入誘導プレート１２０に備えられたアンテナ部１２１を介してカード１０との通信を行う。非接触型カード処理部１２２がカード１０との通信に失敗した場合は、搬送部１１２が挿入誘導プレート１２０を介して接触型カード処理部１１５にカード１０を搬送し、接触型カード処理部１１５がカード１０との通信を行う。【選択図】図１
2010152808.tif 000002
【特許請求の範囲】
【請求項１】
接触型カード及び非接触型カードのデータの読み取りまたは書き込みを行うカードリーダライタ装置であって、
接触型カード読取・書込部を介して前記接触型カードのデータの読み取りまたは書き込みを行う接触型カード処理部と、
前記接触型カード読取・書込部による読み取り及び書き込み位置にカードを自動搬送する搬送部と、
前記搬送部の外方に設置され、前記搬送部へのカードの挿入を誘導する挿入誘導プレートと、
前記挿入誘導プレートに前記非接触型カードを据えた状態で当該非接触型カードとの通信できる位置に設置され、前記非接触型カードとの通信を行うアンテナ部と、
前記アンテナ部を介して前記非接触型カードのデータの読み取りまたは書き込みを行う非接触型カード処理部と、
を備えることを特徴とするカードリーダライタ装置。
【請求項２】
前記アンテナ部と前記挿入誘導プレートに据えられた前記カードとの通信を試み、当該カードとの通信ができるか否かを判定する非接触通信判定部と、
前記非接触通信判定部が前記カードとの通信ができないと判定した場合に、前記搬送部に前記カードを前記接触型カード読取・書込部による読み取り及び書き込み位置に自動搬送させる搬送制御部と、
をさらに備えることを特徴とする請求項１に記載のカードリーダライタ装置。
【請求項３】
前記非接触型カード処理部がカードの読み取りまたは書き込みを完了すると、処理完了を報知する報知部をさらに備える、
ことを特徴とする請求項１または請求項２のいずれか１項に記載のカードリーダライタ装置。
【請求項４】
前記搬送部は、前記接触型カード処理部が前記カードの読み取りまたは書き込みに失敗した場合に、前記接触型カード読取・書込部による読み取り及び書き込み位置から前記挿入誘導プレートに前記カードを搬送し、
前記アンテナ部は、前記搬送部によって前記挿入誘導プレートに搬送された前記カードと再度通信を行う、
ことを特徴とする請求項１から請求項３のいずれか１項に記載のカードリーダライタ装置。
【請求項５】
前記アンテナ部及び前記非接触型カード処理部は、前記接触型カード処理部が前記カードの読み取りまたは書き込みの処理を行う際に電源を切断する、
ことを特徴とする請求項１から請求項４のいずれか１項に記載のカードリーダライタ装置。
【請求項６】
接触型カードのデータの読み取りまたは書き込みを行う接触型カードリーダライタ装置の外方に設置され、前記接触型カードリーダライタ装置へのカードの挿入を誘導する挿入誘導プレートであって、
非接触型カードとの通信範囲内に設置され、前記非接触型カードとの通信を行うアンテナ部と、
前記アンテナ部を介して前記非接触型カードのデータの読み取りまたは書き込みを行う非接触型カード処理部と、
を備えることを特徴とする挿入誘導プレート。
【請求項７】
接触型カード読取・書込部を介して前記接触型カードのデータの読み取りまたは書き込みを行う接触型カード処理部と、前記接触型カード読取・書込部による読み取り及び書き込み位置にカードを自動搬送する搬送部と、前記搬送部の外方に設置され、前記搬送部へのカードの挿入を誘導する挿入誘導プレートと、前記挿入誘導プレートに前記非接触型カードを据えた状態で当該非接触型カードと通信できる位置に設置され、前記非接触型カードとの通信を行うアンテナ部と、前記アンテナ部を介して前記非接触型カードのデータの読み取りまたは書き込みを行う非接触型カード処理部とを備えたカードリーダライタ装置の制御方法であって、
非接触通信判定部は、前記アンテナ部と前記挿入誘導プレートに据えられた前記カードとの通信を試み、当該カードとの通信ができるか否かを判定し、
搬送制御部は、前記非接触通信判定部が前記カードとの通信ができないと判定した場合に、前記搬送部に前記カードを前記接触型カード読取・書込部による読み取り及び書き込み位置へ自動搬送させる、
ことを特徴とする制御方法。
【請求項８】
接触型カード読取・書込部を介して前記接触型カードのデータの読み取りまたは書き込みを行う接触型カード処理部と、前記接触型カード読取・書込部による読み取り及び書き込み位置にカードを自動搬送する搬送部と、前記搬送部の外方に設置され、前記搬送部へのカードの挿入を誘導する挿入誘導プレートと、前記挿入誘導プレートに前記非接触型カードを据えた状態で当該非接触型カードと通信できる位置に設置され、前記非接触型カードとの通信を行うアンテナ部と、前記アンテナ部を介して前記非接触型カードのデータの読み取りまたは書き込みを行う非接触型カード処理部とを備えたカードリーダライタ装置を、
前記アンテナ部と前記挿入誘導プレートに据えられた前記カードとの通信を試み、当該カードとの通信ができるか否かを判定する非接触通信判定部、
前記非接触通信判定部が前記カードとの通信ができないと判定した場合に、前記搬送部に前記カードを前記接触型カード読取・書込部による読み取り及び書き込み位置へ自動搬送させる搬送制御部、
として動作させるためのプログラム。
【発明の詳細な説明】
【技術分野】
【０００１】
本発明は、接触型カード及び非接触型カードのデータの読み取りまたは書き込みを行うカードリーダライタ装置、挿入誘導プレート、制御方法及びプログラムに関する。
【背景技術】
【０００２】
近年、磁気カードや接触型のＩＣ（Integrated Circuit、集積回路）カード等の接触型カードだけでなく、非接触型のＩＣカード等の非接触型カードが支払いカードとして用いられるようになってきている。それに伴い、高速道路等での料金収受に用いるカードリーダライタ装置も接触型カードと非接触型カードとの両者への対応が求められている。
接触型カードと非接触型カードとに対応する従来のカードリーダライタ装置は、以下の二種類に大別できる。
【０００３】
図３は、従来のカードリーダライタ装置を示す第１の図である。
図３に示すカードリーダライタ装置８００は、カード１０をカードリーダライタ装置８００の内部に搬送する搬送部８０１と、接触型カードとの通信を行う磁気ヘッド部８０２及びＩＣコンタクト部８０３と、非接触型カードとの通信を行うアンテナ部８０４と、カードへの読み込みまたは書き込みを行う制御部８０５とを備える。
図３に示すカードリーダライタ装置８００は、接触型カード及び非接触型カードの読み取りまたは書き込みの処理を同一のカードリーダライタ装置８００の内部で行うため、ユーザはカード１０をカードリーダライタ装置８００に挿入することで、当該カード１０が接触型カードであるか非接触型カードであるかの判断をユーザが行わずに、読み取りまたは書き込みの処理を行うことができる。
なお、図３に示すカードリーダライタ装置８００は、例えば特許文献１に開示されている。
【０００４】
図４は、従来のカードリーダライタ装置を示す第２の図である。
図４に示すカードリーダライタ装置９００は、搬送部９１１と、磁気ヘッド部９１２、ＩＣコンタクト部９１３、制御部９１４を備える接触型カードリーダライタ端末９１０と、アンテナ部９２１、制御部９２２を備える非接触型カードリーダライタ端末９２０とを別々に備える。
図４に示すカードリーダライタ装置９００は、従来の接触型カードリーダライタ端末９１０に、非接触型カードリーダライタ端末９２０を周辺機器として増設したものである。そのため、接触型カードリーダライタ端末９１０を予め導入しているユーザは、接触型・非接触型の両者に対応したカードリーダライタ装置を新たに導入せずに非接触型カードリーダライタ端末９２０のみを導入するだけでよいため、導入のコストを低く抑えることができる。
図４に示す接触型カードリーダライタ端末９１０は、例えば特許文献２に開示されている。
また、図４に示す非接触型カードリーダライタ端末９２０は、例えば特許文献３に開示されている。
【特許文献１】特開２００８−１０２６７７号公報
【特許文献２】特開２００７−４７８８０号公報
【特許文献３】特開２００８−１２３４５１号公報
【発明の開示】
【発明が解決しようとする課題】
【０００５】
しかしながら、上述した図３に示すカードリーダライタ装置８００は、カードリーダライタ装置８００の内部で読み取りまたは書き込みの処理を行うため、本来ならば内部への取込及び排出の必要が無い非接触カードに対しても取込及び排出処理を行う必要がある。そのため、カードリーダライタ装置８００は、取込及び排出処理の時間を要し、ユーザが迅速な処理を行う際の弊害となる。
また、図４に示すカードリーダライタ装置９００のように、非接触型カードリーダライタ端末９２０を増設すると、カード１０が接触型カードであるか非接触型カードであるかの判断をユーザが行う必要があり、ユーザの操作に対する負担が増加する。さらにカード１０が接触型カードであるか非接触型カードであるかの判断をユーザが誤った場合は、２種類の端末９１０、９２０に対してカード１０の読み取り操作を行うこととなるため、ユーザが迅速な処理を行う際の弊害となる。
本発明は上記の点に鑑みてなされたものであり、その目的は、カードの読み取りまたは書き込みの迅速な処理を実現するカードリーダライタ装置、挿入誘導プレート、制御方法及びプログラムを提供することにある。
【課題を解決するための手段】
【０００６】
本発明は上記の課題を解決するためになされたものであり、接触型カード及び非接触型カードのデータの読み取りまたは書き込みを行うカードリーダライタ装置であって、接触型カード読取・書込部を介して前記接触型カードのデータの読み取りまたは書き込みを行う接触型カード処理部と、前記接触型カード読取・書込部による読み取り及び書き込み位置にカードを自動搬送する搬送部と、前記搬送部の外方に設置され、前記搬送部へのカードの挿入を誘導する挿入誘導プレートと、前記挿入誘導プレートに前記非接触型カードを据えた状態で当該非接触型カードとの通信できる位置に設置され、前記非接触型カードとの通信を行うアンテナ部と、前記アンテナ部を介して前記非接触型カードのデータの読み取りまたは書き込みを行う非接触型カード処理部と、を備えることを特徴とする。
【０００７】
また、本発明は、前記アンテナ部と前記挿入誘導プレートに据えられた前記カードとの通信を試み、当該カードとの通信ができるか否かを判定する非接触通信判定部と、前記非接触通信判定部が前記カードとの通信ができないと判定した場合に、前記搬送部に前記カードを前記接触型カード読取・書込部による読み取り及び書き込み位置に自動搬送させる搬送制御部と、をさらに備えることを特徴とする。
【０００８】
また、本発明は、前記非接触型カード処理部がカードの読み取りまたは書き込みを完了すると、処理完了を報知する報知部をさらに備える、ことを特徴とする。
【０００９】
また、本発明は、前記搬送部は、前記接触型カード処理部が前記カードの読み取りまたは書き込みに失敗した場合に、前記接触型カード読取・書込部による読み取り及び書き込み位置から前記挿入誘導プレートに前記カードを搬送し、前記アンテナ部は、前記搬送部によって前記挿入誘導プレートに搬送された前記カードと再度通信を行う、ことを特徴とする。
【００１０】
また、本発明は、前記アンテナ部及び前記非接触型カード処理部は、前記接触型カード処理部が前記カードの読み取りまたは書き込みの処理を行う際に電源を切断する、ことを特徴とする。
【００１１】
また、本発明は、接触型カードのデータの読み取りまたは書き込みを行う接触型カードリーダライタ装置の外方に設置され、前記接触型カードリーダライタ装置へのカードの挿入を誘導する挿入誘導プレートであって、非接触型カードとの通信範囲内に設置され、前記非接触型カードとの通信を行うアンテナ部と、前記アンテナ部を介して前記非接触型カードのデータの読み取りまたは書き込みを行う非接触型カード処理部と、を備えることを特徴とする。
【００１２】
また、本発明は、接触型カード読取・書込部を介して前記接触型カードのデータの読み取りまたは書き込みを行う接触型カード処理部と、前記接触型カード読取・書込部による読み取り及び書き込み位置にカードを自動搬送する搬送部と、前記搬送部の外方に設置され、前記搬送部へのカードの挿入を誘導する挿入誘導プレートと、前記挿入誘導プレートに前記非接触型カードを据えた状態で当該非接触型カードと通信できる位置に設置され、前記非接触型カードとの通信を行うアンテナ部と、前記アンテナ部を介して前記非接触型カードのデータの読み取りまたは書き込みを行う非接触型カード処理部とを備えたカードリーダライタ装置の制御方法であって、非接触通信判定部は、前記アンテナ部と前記挿入誘導プレートに据えられた前記カードとの通信を試み、当該カードとの通信ができるか否かを判定し、搬送制御部は、前記非接触通信判定部が前記カードとの通信ができないと判定した場合に、前記搬送部に前記カードを前記接触型カード読取・書込部による読み取り及び書き込み位置へ自動搬送させる、ことを特徴とする。
【００１３】
また、本発明は、接触型カード読取・書込部を介して前記接触型カードのデータの読み取りまたは書き込みを行う接触型カード処理部と、前記接触型カード読取・書込部による読み取り及び書き込み位置にカードを自動搬送する搬送部と、前記搬送部の外方に設置され、前記搬送部へのカードの挿入を誘導する挿入誘導プレートと、前記挿入誘導プレートに前記非接触型カードを据えた状態で当該非接触型カードと通信できる位置に設置され、前記非接触型カードとの通信を行うアンテナ部と、前記アンテナ部を介して前記非接触型カードのデータの読み取りまたは書き込みを行う非接触型カード処理部とを備えたカードリーダライタ装置を、前記アンテナ部と前記挿入誘導プレートに据えられた前記カードとの通信を試み、当該カードとの通信ができるか否かを判定する非接触通信判定部、前記非接触通信判定部が前記カードとの通信ができないと判定した場合に、前記搬送部に前記カードを前記接触型カード読取・書込部による読み取り及び書き込み位置へ自動搬送させる搬送制御部、として動作させるためのプログラムである。
【発明の効果】
【００１４】
本発明によれば、カードリーダライタ装置の非接触型カード処理部は、搬送部の外方に設置される挿入誘導プレートに備えられたアンテナ部を介して非接触型カードとの通信を行う。そのため、非接触型カードをカードリーダライタ装置の内部に取り込まずにデータの読み取りまたは書き込みを行うことができる。これにより、非接触型カードの処理において取込及び排出処理の時間がかからないため、ユーザは迅速な処理を行うことができる。
また、本発明によれば、カードが接触型カードである場合は、搬送部が挿入誘導プレートを介して接触型カード処理部に接触型カードを搬送し、接触型カード処理部が接触型カードとの通信を行う。そのため、ユーザはカードが接触型カードであるか非接触型カードであるかの判断を行わずにカードの処理を行うことができるため、ユーザは迅速な処理を行うことができる。
【発明を実施するための最良の形態】
【００１５】
以下、図面を参照しながら本発明の実施形態について詳しく説明する。
図１は、本発明の一実施形態によるカードリーダライタ装置の構成を示す概略ブロック図である。
カードリーダライタ装置１００は、接触型カードリーダライタ部１１０と、挿入誘導プレート１２０とを備える。
接触型カードリーダライタ部１１０は、カード１０を内部に取り込み、カード１０が磁気カードや接触型ＩＣカード等の接触型カードであればデータの読み取りまたは書き込みを行う。
挿入誘導プレート１２０は、接触型カードリーダライタ部１１０の外方に設置され、カード１０を接触型カードリーダライタ部１１０のカード挿入口に誘導する構造を有する。
【００１６】
接触型カードリーダライタ部１１０は、挿入口センサ１１１、搬送部１１２（搬送制御部）、磁気ヘッド部１１３（接触型カード読取・書込部）、ＩＣコンタクト部１１４（接触型カード読取・書込部）、接触型カード処理部１１５を備える。
挿入口センサ１１１は、接触型カードリーダライタ部１１０のカード挿入口に備えられ、カード１０がカード挿入口に挿入されているか否かを感知する。
搬送部１１２は、接触型カードリーダライタ部１１０のカード挿入口に備えられ、カード１０をカードリーダライタ部１１０の内部へ搬送する。
磁気ヘッド部１１３は、接触型カードリーダライタ部１１０の内部に備えられ、カード１０が磁気カードであればカード１０の磁気ストライプからデータを読み込む処理、または磁気ストライプへデータを書き込む処理を行う。
ＩＣコンタクト部１１４は、接触型カードリーダライタ部１１０の内部に備えられ、カード１０が接触型ＩＣカードであれば、カード１０のＩＣチップからデータを読み込む処理、またはＩＣチップへデータを書き込む処理を行う。
接触型カード処理部１１５は、磁気ヘッド部１１２またはＩＣコンタクト部１１３を介してカード１０のデータの読み取りまたは書き込みの制御を行う。
【００１７】
挿入誘導プレート１２０は、アンテナ部１２１、非接触型カード処理部１２２（非接触通信判定部）、ＬＥＤ（Light Emitting Diode、発光ダイオード）１２３（報知部）を備える。
また、挿入誘導プレート１２０は、例えば合成樹脂で板状に形成されたプレートであり、図１に示すように、アンテナ部１２１、非接触型カード処理部１２２、ＬＥＤ１２３の機能を有する回路基板を内蔵するものである。なお、図１では挿入誘導プレート１２０の内部に回路基板が埋め込まれている例を示しているが、これに限られず、挿入プレート１２０にカード１０を据えた状態で、カード１０と回路基板に含まれるアンテナ部１２１との通信が可能であるならば、挿入誘導プレート１２０の下部など、回路基板を挿入誘導プレート１２０の外部に設置しても良い。
アンテナ部１２１は、カード１０が非接触型カードであればＲＦＩＤ（Radio Frequency Identification、電波方式認識）等によって、カード１０との通信を行う。
非接触型カード処理部１２２は、アンテナ部１２１を介してカード１０のデータの読み取りまたは書き込みを行う。
ＬＥＤ１２３は、非接触型カード処理部１２２がデータの読み取りまたは書き込みを完了すると点灯して処理完了を報知し、非接触型カード処理部１２２がデータの読み取りまたは書き込みに失敗すると点滅してエラーの発生を報知する。
【００１８】
そして、本実施形態のカードリーダライタ装置１００は、接触型カードのデータの読み取りまたは書き込みを行う磁気ヘッド部１１３並びにＩＣコンタクト部１１４及び接触型カード処理部１１５と、磁気ヘッド部１１３及びＩＣコンタクト部１１４の通信可能位置にカードを自動搬送する搬送部１１２と、搬送部１１２の外方に設置され、搬送部１１２へのカードの挿入を誘導する挿入誘導プレート１２０と、挿入誘導プレート１２０に非接触型カードを据えた状態で非接触型カードとの通信が可能な位置に設置され、非接触型カードとの通信を行うアンテナ部１２１と、アンテナ部１２１を介して非接触型カードのデータの読み取りまたは書き込みを行う非接触型カード処理部１２２とを備える。
このような構成により、カードリーダライタ装置１００は、カードの読み取りまたは書き込みにおける迅速な処理を実現する。
【００１９】
次に、カードリーダライタ装置１００の動作を説明する。
図２は、カードリーダライタ装置の動作を示すフローチャートである。
カードリーダライタ装置１００の挿入誘導プレート１２０内の非接触型カード処理部１２２は、アンテナ部１２１を介してカード１０に対して断続的にポーリングを行う（ステップＳ１）。非接触型カード処理部１２２は、ポーリングを行うと、カード１０から当該ポーリングに対する応答の有無を判定する（ステップＳ２）。
非接触型カード処理部１２２は、ポーリングに対する応答があると判定した場合（ステップＳ２：ＹＥＳ）、アンテナ１２１を介してカード１０と通信を行い、データの読み取りまたは書き込みを行う（ステップＳ３）。なお、ポーリングに対する応答があるという判定は、ユーザが挿入誘導プレート１２０の上に非接触型カードであるカード１０を据え、カード１０がポーリングに対する応答を送信した場合に行われることとなる。
非接触型カード処理部１２２がカード１０のデータの読み取りまたは書き込みを行うと、ＬＥＤ１２３は、点灯してユーザに処理完了を報知する（ステップＳ４）。ＬＥＤ１２３が点灯すると、カードリーダライタ装置１００はカード１０との処理を終了する。
このように、カード１０が非接触型カードである場合、カードリーダライタ装置１００の非接触型カード処理部１２２は、搬送部１１２の外方に設置される挿入誘導プレート１２０の内部に備えられたアンテナ部１２１を介してカード１０との通信を行う。そのため、カード１０をカードリーダライタ装置１００の内部に取り込まずにデータの読み取りまたは書き込みを行うことができる。これにより、カード１０の処理において取込及び排出処理の時間がかからない。
【００２０】
ステップＳ２で、非接触型カード処理部１２２が、ポーリングに対する応答がないと判定した場合（ステップＳ２：ＮＯ）、接触型カードリーダライタ部１１０の挿入口センサ１１１は、カード１０がカード挿入口に存在するか否かを判定する（ステップＳ５）。カードがカード挿入口に存在するか否かの判定は、例えば以下のように行う。
挿入口センサ１１１が光センサである場合、挿入口センサ１１１は、挿入口センサ１１１に対向して配置されるＬＥＤ（図示せず）からの光を検知したときに、カード１０がカード挿入口に存在しないと判定し、ＬＥＤ（図示せず）からの光を挿入口センサ１１１が検知できない場合に、カード１０がカード挿入口に存在すると判定する。
また、挿入口センサ１１１が圧力センサである場合、挿入口センサ１１１は、搬送部１１２にカード１０が接触しているか否かを検知し、搬送部１１２とカード１０との接触を検知したときに、カード１０がカード挿入口に存在すると判定し、搬送部１１２とカード１０との接触を検知できないときに、カード１０がカード挿入口に存在しないと判定する。
【００２１】
ステップＳ３で、挿入口センサ１１１が、カード１０がカード挿入口に存在しないと判定した場合（ステップＳ５：ＮＯ）、ステップＳ１に戻り、ポーリングを継続する。なお、カード１０がカード挿入口に存在しないという判定は、ユーザが挿入誘導プレート１２０の上にカード１０を据えていない場合に行われることとなる。
【００２２】
ステップＳ３で、挿入口センサ１１１が、カード１０がカード挿入口に存在すると判定した場合（ステップＳ５：ＹＥＳ）、搬送部１１２は、カード１０を磁気ヘッド部１１３、ＩＣコンタクト部１１４の読み取り可能な位置に搬送する（ステップＳ６）。搬送部１１２がカード１０を搬送すると、接触型カード処理部１１５は、アンテナ部１２１及び非接触型カード処理部１２２の電源を切断する（ステップＳ７）。この処理は、アンテナ部１２１及び非接触型カード処理部１２２が発生する電波が、磁気ヘッド部１１３またはＩＣコンタクト部１１４による通信に対する妨害電波となる可能性があるため、電源を切断することで妨害電波となりうる電波を排除するために行っている。
【００２３】
接触型カード処理部１１５は、アンテナ部１２１及び非接触型カード処理部１２２の電源を切断すると、磁気ヘッド部１１３を介してカード１０のデータ読み取りを行い、カード１０からの応答の有無（データの有無）を判定する（ステップＳ８）。
接触型カード処理部１１５は、カード１０から磁気ヘッド部１１３を介した応答がないと判定した場合（ステップＳ８：ＮＯ）、ＩＣコンタクト部１１４を介してカード１０との通信を行い、カード１０からの応答の有無を判定する（ステップＳ９）。
【００２４】
接触型カード処理部１１５は、ステップＳ８でカード１０から磁気ヘッド部１１３を介した応答があると判定した場合（ステップＳ８：ＹＥＳ）、またはステップＳ９でカード１０からＩＣコンタクト部１１４を介した応答があると判定した場合（ステップＳ９：ＹＥＳ）、磁気ヘッド部１１３を介してカード１０のデータの読み取り、またはＩＣコンタクト部１１４を介してカード１０と通信を行い、データの読み取りまたは書き込みを行う（ステップＳ１０）。
接触型カード処理部１１５がカード１０のデータの読み取りまたは書き込みを行うと、搬送部１１２は、カード１０を挿入誘導プレート１２０に搬送する（ステップＳ１１）。搬送部１１２がカード１０を搬送すると、接触型カード処理部１１５は、アンテナ部１２１及び非接触型カード処理部１２２の電源を投入する（ステップＳ１２）。
接触型カード処理部１１５がアンテナ部１２１及び非接触型カード処理部１２２の電源を投入すると、ＬＥＤ１２３は、点灯してユーザに処理完了を報知する（ステップＳ１３）。ＬＥＤ１２３が点灯すると、カードリーダライタ装置１００はカード１０との処理を終了する。処理の終了後、ユーザは挿入誘導プレート１２０からカードを取り上げる。
【００２５】
接触型カード処理部１１５がステップＳ９でカード１０からＩＣコンタクト部１１４を介した応答がないと判定した場合（ステップＳ９：ＮＯ）、すなわち磁気ヘッド部１１３にてデータが確認できず、ＩＣコンタクト部１１４を介してもカード１０との通信ができない場合、搬送部１１２は、カード１０を挿入誘導プレート１２０に搬送する（ステップＳ１４）。搬送部１１２がカード１０を搬送すると、接触型カード処理部１１５は、アンテナ部１２１及び非接触型カード処理部１２２の電源を投入する（ステップＳ１５）。
接触型カード処理部１１５がアンテナ部１２１及び非接触型カード処理部１２２の電源を投入すると、非接触型カード処理部１２２は、アンテナ部１２１を介してカード１０との通信を行い、カード１０からの応答の有無を判定する（ステップＳ１６）。
【００２６】
ここで、ステップＳ１６で再度非接触型カード処理部１２２による通信を行う理由を説明する。
まず、ステップＳ２で非接触型カード処理部１２２が、ステップＳ８、Ｓ９で接触型カード処理部１１５がカード１０との通信に失敗する理由としては、以下の４つの理由が挙げられる。
１つ目に、カード１０が非接触型カードでも接触型カードでもない場合が挙げられる。例えば、カード１０が名刺等の通信を行わない種類のカードである場合である。
２つ目に、カード１０が壊れている場合が挙げられる。例えば、非接触カードに内蔵されるアンテナコイルが破損している場合、また、磁気カードのデータが何らかの磁力の影響で破損している場合などである。
３つ目に、カード１０が接触型カードであり、挿入する方向を誤っている場合である。
４つ目に、カード１０が非接触型カードであり、ステップＳ２における通信に失敗している場合である。非接触型カードの通信の失敗は、非接触型カード処理部１２２が通信を行う際、ユーザの操作によってカード１０が挿入誘導プレート１２０に据えられるため、カード１０が動き、通信が不安定になった場合に発生する可能性がある。
従って、上述した４つ目の理由による通信の失敗を解消するために、ステップＳ１６で再度非接触型カード処理部１２２による通信を試みている。
【００２７】
ステップＳ１６によって非接触型カード処理部１２２がカード１０から応答があると判定した場合（ステップＳ１６：ＹＥＳ）、アンテナ１２１を介してカード１０と通信を行い、データの読み取りまたは書き込みを行う（ステップＳ１７）。
非接触型カード処理部１２２がカード１０のデータの読み取りまたは書き込みを行うと、ＬＥＤ１２３は、点灯してユーザに処理完了を報知する（ステップＳ１８）。ＬＥＤ１２３が点灯すると、カードリーダライタ装置１００はカード１０との処理を終了する。
【００２８】
ステップＳ１６によって非接触型カード処理部１２２がカード１０から応答がないと判定した場合（ステップＳ１６：ＮＯ）、ＬＥＤ１２３は、点滅してユーザにエラーの発生を報知する（ステップＳ１９）。ＬＥＤ１２３が点滅すると、カードリーダライタ装置１００はカード１０との処理を終了する。処理の終了後、ユーザは、挿入誘導プレート１２０からカード１０を取り上げる。このとき、ＬＥＤ１２３が点滅しているため、ユーザは、上述した１つ目から３つ目の何れかの理由によってカード１０が通信に失敗したと判断することができる。
【００２９】
このように、本実施形態によれば、カード１０が非接触型カードである場合、カードリーダライタ装置１００の非接触型カード処理部１２２は、搬送部１１２の外方に設置される挿入誘導プレート１２０に備えられたアンテナ部１２１を介してカード１０との通信を行う。そのため、カード１０をカードリーダライタ装置１００の内部に取り込まずにデータの読み取りまたは書き込みを行うことができる。これにより、カード１０の処理において取込及び排出処理の時間がかからない。
また、カード１０が接触型カードである場合は、搬送部１１２が挿入誘導プレート１２０を介して接触型カード処理部１１５にカード１０を搬送し、接触型カード処理部１１５がカード１０との通信を行う。そのため、ユーザはカード１０が接触型カードであるか非接触型カードであるかの判断を行わずにカードの処理を行うことができる。これにより、ユーザは迅速な処理を行うことができる。
【００３０】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、本実施形態では、通信完了またはエラーの発生をＬＥＤ１２３が報知する場合を説明したが、これに限られず、ブザーや液晶画面等、他の報知手段を用いて通信完了やエラーの発生を報知しても良い。
【００３１】
なお、本実施形態では、非接触型カード処理部１２２がポーリングを断続的に行うことによって、カード１０との通信を行う場合を説明したが、これに限られず、例えば、非接触型カード処理部１２２は、断続的なポーリングを行わずに、挿入口センサ１１１がカード１０を検知した時点でカードとの通信を行ってもよい。これにより、カード１０が固定されてからの通信を行うことができるため、通信を安定させることができる。
【００３２】
また、本実施形態では、カード１０の挿入時と排出時に非接触型カード処理部１２２がカード１０との通信を行う場合を説明したが、これに限られず、カード１０の挿入時のみ、または排出時のみに非接触型カード処理部１２２が通信を行っても良い。
【００３３】
また、本実施形態では、搬送部１１２が挿入誘導プレート１２０から接触型カードリーダライタ部１１０内部に搬送したカード１０を、搬送部１１２が接触型カード処理部１１５による処理の完了後に、接触型カードリーダライタ部１１２内部から挿入誘導プレート１２０に搬送する場合を説明したが、これに限られず、例えば、接触型カードリーダライタ部１１０は、カード挿入口以外にカード排出口を備え、搬送部１１２は、接触型カード処理部１１５による処理の完了後に、カード１０を接触型カードリーダライタ部１１２内部からカード排出口に搬送しても良い。
【図面の簡単な説明】
【００３４】
【図１】本発明の一実施形態によるカードリーダライタ装置の構成を示す概略ブロック図である。
【図２】カードリーダライタ装置の動作を示すフローチャートである。
【図３】従来のカードリーダライタ装置を示す第１の図である。
【図４】従来のカードリーダライタ装置を示す第２の図である。
【符号の説明】
【００３５】
１０…カード  １００…カードリーダライタ装置  １１０…接触型カードリーダライタ部  １１１…挿入口センサ  １１２…搬送部  １１３…磁気ヘッド部  １１４…ＩＣコンタクト部  １１５…接触型カード処理部  １２０…挿入誘導プレート  １２１…アンテナ部  １２２…非接触型カード処理部  １２３…ＬＥＤ
【図１】
2010152808.tif 000003
【図２】
2010152808.tif 000004
【図３】
2010152808.tif 000005
【図４】
2010152808.tif 000006